(57)【要約】【課題】最初のエンジン始動までの鉛電池の電力消費を確実に抑えることができる電池状態検知装置を提供する。【解決手段】電池状態検知装置は、１００ｍＶ程度の電圧降下があったときにスイッチ作動回路のＦＥＴが一時的にオン状態となり電池状態判定部を起動させる。電池状態判定部のＣＰＵは、（１）２５ｍｓｅｃ間に鉛電池が１．５Ｖ以上の電圧降下があるか（Ｓ１０２）、（２−Ａ）その後、１分以内に鉛電池の電圧が車両の１３．５Ｖに到達したか（Ｓ１０４）、または、（２−Ｂ）その後、１分以内に車両の１３．５Ｖ＞鉛電池の電圧≧１２．０Ｖ、かつ、該電圧領域における鉛電池の最大電圧と最小電圧との差が１００ｍＶ以上の状態が１秒以上継続したかを判定する（Ｓ１０６）ことで、エンジン始動を判断する。鉛電池が車載され最初のエンジン始動があったかを正確に判定できる。【選択図】図３
2008290598.tif 000002
【特許請求の範囲】
【請求項１】
自動車用鉛電池から作動電源が供給され、前記鉛電池の電池状態を検知する電池状態検知装置において、
前記鉛電池からの作動電源を遮断するためのスイッチと、
予め設定された設定値以上の前記鉛電池の電圧降下により前記スイッチを一時的にオン状態とするスイッチ作動手段と、
前記スイッチ作動手段により前記スイッチがオン状態となった後、前記鉛電池の電圧を所定時間毎に測定する電圧測定手段と、
前記電圧測定手段で測定された電圧に基づいて、前記スイッチのオン状態を確保するように制御するスイッチ制御手段と、
を備え、前記スイッチ制御手段は、エンジン始動による前記鉛電池の一定時間内の所定値以上の電圧降下を検知後、一定時間内に前記鉛電池の電圧が自動車の充電制御電圧に到達したかを判断し、肯定判断のときに、前記スイッチを継続的にオン状態に制御し、否定判断のときに、一定時間内に自動車の充電制御電圧＞前記鉛電池の電圧≧前記鉛電池の公称電圧、かつ、該電圧領域における前記鉛電池の最大電圧と前記鉛電池の最小電圧との差が所定値以上の状態が一定時間継続したかを判断し、肯定判断のときに、前記スイッチを継続的にオン状態に制御し、否定判断のときに前記スイッチをオフ状態に制御することを特徴とする電池状態検知装置。
【請求項２】
前記スイッチ作動手段が前記スイッチをオン状態とする設定値は、５０ｍＶ〜３００ｍＶであることを特徴とする請求項１に記載の電池状態検知装置。
【請求項３】
前記スイッチ制御手段は、２５ｍ秒間に前記鉛電池が１．５Ｖ以上の電圧降下があるかを判断し、肯定判断のときに、前記エンジン始動による前記鉛電池の所定値以上の電圧降下を検知することを特徴とする請求項１に記載の電池状態検知装置。
【請求項４】
前記スイッチ制御手段は、１分以内に前記鉛電池の電圧が１３．５Ｖに到達したかを判定することにより、前記一定時間内に前記鉛電池の電圧が自動車の充電制御電圧に到達したかを判断するとともに、１分以内に、１３．５Ｖ＞前記鉛電池の電圧≧１２．０Ｖ、かつ、該電圧領域における前記鉛電池の最大電圧と前記鉛電池の最小電圧との差が１００ｍＶ以上の状態が１秒間継続したかを判定することにより、前記一定時間内に自動車の充電制御電圧＞前記鉛電池の電圧≧前記鉛電池の公称電圧、かつ、該電圧領域における前記鉛電池の最大電圧と前記鉛電池の最小電圧との差が所定値以上の状態が一定時間継続したかを判断することを特徴とする請求項１ないし請求項３のいずれか１項に記載の電池状態検知装置。
【請求項５】
前記電圧測定手段は、５ｍ秒以内の時間間隔で前記鉛電池の電圧を測定することを特徴とする請求項１ないし請求項４に記載の電池状態検知装置。
【請求項６】
請求項１ないし請求項５のいずれか１項に記載の電池状態検知装置を備えた自動車用鉛電池。
【発明の詳細な説明】
【技術分野】
【０００１】
本発明は電池状態検知装置および自動車用鉛電池に係り、特に、自動車用鉛電池から作動電源が供給され、鉛電池の電池状態を検知する電池状態検知装置および該電池状態検知装置を備えた自動車用鉛電池に関する。
【背景技術】
【０００２】
自動車用鉛電池は、車両の各種電気機器（電気負荷）へ電力を供給している。また、車両には、エンジンにより駆動される発電機（オルタネータ）が装備されており、鉛電池はオルタネータの作動制御により充電され容量が保たれている。近年、カーナビゲーション等補機による電気負荷が増し、また環境問題への配慮から電動モータとエンジンを組み合わせたハイブリッド電気自動車や信号停止時等にエンジンを停止させ発進時に再始動させる（ＩＳＳシステム）自動車等が開発されており、鉛電池は放電寄りの使われ方がなされている。このような背景から、鉛電池の劣化状態を正確に検知し、現在の充電状態を把握することで常に走行に支障がないようにするため、鉛電池の電池状態検知装置の研究開発がなされている。
【０００３】
一般に、鉛電池の電池状態検知装置では、車載を想定するとそのスペースやコストの問題、あるいはその扱いやすさ等から、鉛電池に対して並列に状態検知装置を搭載して、鉛電池本体を電源として作動するものが多い（例えば、特許文献１参照）。この種の電池状態検知装置は鉛電池の劣化状態を監視する必要があるため、常時稼動している必要がある。しかし、車載前にはこのような監視をする必要はなく、却って、鉛電池が車載前の充電機会が全くない状態のときに電池状態検知装置に電力を供給すると、鉛電池が積極的に放電してしまう。さらに、鉛電池は自己放電も起こすため、車載前に店頭在庫期間が長いものはかなりの放電状態となってしまい、鉛電池を放電気味の状態で放置しておくと、サルフェーションにより車載前から容量劣化を来すおそれがある。
【０００４】
この問題を解決するために、鉛電池からの作動電源を遮断するためのスイッチを備え、電圧降下より鉛電池が設定電圧値になったときに（例えば、鉛電池の電圧が１０Ｖ程度となったときに）鉛電池が車載され最初のエンジン始動があったものとみなし、スイッチをオン状態として鉛電池から電池状態検知装置に作動電源を供給する技術が開示されている（例えば、特許文献２参照）。
【０００５】
【特許文献１】特開２００１−３５１６９８号公報
【特許文献２】ＷＯ  ２００６／０５９５１１号公報
【発明の開示】
【発明が解決しようとする課題】
【０００６】
特許文献２の技術では、電圧降下より鉛電池が設定電圧値になったときに鉛電池が車載され最初のエンジン始動があったものとみなしているため、特定の車種やその車両に搭載された車載電装品との関係で、設定電圧値が適正であれば最初のエンジン始動が検知可能である。しかしながら、電圧降下で間接的に最初のエンジン始動を判定するより、直接エンジン始動の判定を行えば、最初のエンジン始動についての判定信頼性が高まり、最初のエンジン始動までの電池状態検知装置による鉛電池の電力消費を確実に抑えることができる。
【０００７】
本発明は上記事案に鑑み、最初のエンジン始動までの鉛電池の電力消費を確実に抑えることができる電池状態検知装置および該電池状態検知装置を備えた自動車用鉛電池を提供することを課題とする。
【課題を解決するための手段】
【０００８】
上記課題を解決するために、本発明は、自動車用鉛電池から作動電源が供給され、前記鉛電池の電池状態を検知する電池状態検知装置において、前記鉛電池からの作動電源を遮断するためのスイッチと、予め設定された設定値以上の前記鉛電池の電圧降下により前記スイッチを一時的にオン状態とするスイッチ作動手段と、前記スイッチ作動手段により前記スイッチがオン状態となった後、前記鉛電池の電圧を所定時間毎に測定する電圧測定手段と、前記電圧測定手段で測定された電圧に基づいて、前記スイッチのオン状態を確保するように制御するスイッチ制御手段と、を備え、前記スイッチ制御手段は、エンジン始動による前記鉛電池の一定時間内の所定値以上の電圧降下を検知後、一定時間内に前記鉛電池の電圧が自動車の充電制御電圧に到達したかを判断し、肯定判断のときに、前記スイッチを継続的にオン状態に制御し、否定判断のときに、一定時間内に自動車の充電制御電圧＞前記鉛電池の電圧≧前記鉛電池の公称電圧、かつ、該電圧領域における前記鉛電池の最大電圧と前記鉛電池の最小電圧との差が所定値以上の状態が一定時間継続したかを判断し、肯定判断のときに、前記スイッチを継続的にオン状態に制御し、否定判断のときに前記スイッチをオフ状態に制御することを特徴とする。
【０００９】
本発明の電池状態検知装置は鉛電池からの作動電源を遮断するためのスイッチを備えている。このスイッチは、スイッチ作動手段により、予め設定された設定値（例えば、５０ｍＶ〜３００ｍＶ）以上の鉛電池の電圧降下により一時的にオン状態となり、電圧測定手段およびスイッチ制御手段に一時的に作動電源を供給する。スイッチ作動手段によりスイッチがオン状態となった後、電圧測定手段により、鉛電池の電圧が所定時間毎に測定される。このとき、電圧測定手段は、５ｍ秒以内の時間間隔で鉛電池の電圧を測定することが好ましい。そして、スイッチ制御手段により、電圧測定手段で測定された電圧に基づいて、スイッチはオン状態を確保するように制御されるが、スイッチ制御手段は、エンジン始動による鉛電池の一定時間内の所定値以上の電圧降下を検知後（例えば、２５ｍ秒間に鉛電池が１．５Ｖ以上の電圧降下があるかを判断し、肯定判断のときに）、一定時間内に鉛電池の電圧が自動車の充電制御電圧に到達したかを判断し（例えば、１分以内に鉛電池の電圧が１３．５Ｖに到達したかを判定し）、肯定判断のときに、スイッチを継続的にオン状態に制御し、否定判断のときに、一定時間内に自動車の充電制御電圧＞鉛電池の電圧≧鉛電池の公称電圧、かつ、該電圧領域における鉛電池の最大電圧と鉛電池の最小電圧との差が所定値以上の状態が一定時間継続したかを判断し（例えば、１分以内に、１３．５Ｖ＞鉛電池の電圧≧１２．０Ｖ、かつ、該電圧領域における鉛電池の最大電圧と鉛電池の最小電圧との差が１００ｍＶ以上の状態が１秒間継続したかを判定し）、肯定判断のときに、スイッチを継続的にオン状態に制御し、否定判断のときにスイッチをオフ状態に制御する。このような電池状態検知装置は鉛電池と一体になっていてもよい。
【発明の効果】
【００１０】
本発明によれば、スイッチ制御手段は、エンジン始動による鉛電池の一定時間内の所定値以上の電圧降下を検知後、一定時間内に鉛電池の電圧が自動車の充電制御電圧に到達したかを判断し、肯定判断のときに、スイッチを継続的にオン状態に制御し、否定判断のときに、一定時間内に自動車の充電制御電圧＞鉛電池の電圧≧鉛電池の公称電圧、かつ、該電圧領域における鉛電池の最大電圧と鉛電池の最小電圧との差が所定値以上の状態が一定時間継続したかを判断し、肯定判断のときに、スイッチを継続的にオン状態に制御し、否定判断のときにスイッチをオフ状態に制御するので、スイッチ制御手段が最初のエンジン始動の判断を直接行うため、最初のエンジン始動についての判定信頼性が高まり、最初のエンジン始動までの電池状態検知装置による鉛電池の電力消費を確実に抑えることができる、という効果を得ることができる。
【発明を実施するための最良の形態】
【００１１】
以下、図面を参照して、本発明に係る自動車（車両）用鉛電池の実施の形態について説明する。
【００１２】
（構成）
図１に示すように、本実施形態の鉛電池１０は、電池容器となる略角型の電槽８を有しており、電槽８内には合計６組の極板群が収容されている。電槽８の材質には、成形性、絶縁性および耐久性等の点で優れる、例えば、ポリエチレン（ＰＥ）、ポリプロピレン（ＰＰ）、アクリルブタジエンスチレン（ＡＢＳ）等の高分子樹脂を選択することができる。各極板群は、複数枚の負極板および正極板がセパレータを介して積層されており、セル電圧は２．０Ｖとされている。従って、鉛電池１０の公称電圧は１２．０Ｖである。電槽８の上部は、電槽８の上部開口を密閉するＰＥ等の高分子樹脂製の上蓋９に接着ないし溶着されている。なお、電槽８の略中央部には、鉛電池１の温度を測定するためのサーミスタ等の温度センサが埋設されている。
【００１３】
上蓋９には、鉛電池１０を自動車用電源として外部へ電力を供給するための２本（正負極）の出力端子７が立設されている。また、上蓋９には、鉛電池１０の電池状態（ＳＯＣやＳＯＨ）を検知する電池状態検知装置１が収容されている。
【００１４】
図２に示すように、電池状態検知装置１は、ＭＯＳ型ＰチャネルＦＥＴ１を有し鉛電池１０の電圧降下によりＦＥＴ１を一時的にオン状態とするスイッチ作動回路部２０と、ＦＥＴ１を介して鉛電池１０から電源の供給を受け鉛電池１０の電池状態を判定する電池状態判定部３０と、コイル式のブザー、ブザーを作動させるためのトランジスタや抵抗等を有して構成され警告音を発生させる報知部（不図示）と、手動式のプッシュスイッチ３（図１参照）、複数の発光ダイオード（以下、ＬＥＤという。）、トランジスタや抵抗等を有して構成されＬＥＤを点灯ないし点滅させて鉛電池１０の電池状態を表示する操作表示部２と、を備えている。
【００１５】
スイッチ作動回路部２０はハードウエア回路で構成されている。上述したＦＥＴ１のソースは鉛電池１０の正極出力端子に接続されており、ドレインは電池状態判定部３０（後述する電源回路の正極入力側）に接続されている。
【００１６】
また、鉛電池１０の正極出力端子はダイオードＤ３のアノードに接続されており、カソードは他端が抵抗Ｒ６の一端に接続された抵抗Ｒ７の一端に接続されている。抵抗Ｒ６と抵抗Ｒ７の接続点にはキャパシタＣ１の一端が接続されており、キャパシタＣ１の他端は鉛電池１０の負極出力端子に接続されている。抵抗Ｒ６の他端はトランジスタＴｒ２のエミッタに接続されており、コレクタはダイオードＤ１のアノードに接続されている。トランジスタＴｒ２のベースは他端がＦＥＴ１のソースに接続された抵抗Ｒ５の一端に接続されている。
【００１７】
ダイオードＤ１のカソードはダイオードＤ２のカソードおよび抵抗Ｒ４の一端に接続されている。ダイオードＤ２のアノードは電池状態判定部３０（後述するＤ／Ａコンバータの出力側）に接続されている。抵抗Ｒ４の他端はトランジスタＴｒ１のベースに接続されている。トランジスタＴｒ１のベース、エミッタ間には抵抗Ｒ３が介在しており、エミッタおよび抵抗Ｒ３の接続点は鉛電池１０の負極出力端子に接続されている。トランジスタＴｒ１のコレクタは、他端が鉛電池１０の負極出力端子に接続されたプッシュスイッチ３の一端に接続されているとともに、抵抗Ｒ２の一端に接続されている。抵抗Ｒ２の他端はＦＥＴ１のゲートおよび抵抗Ｒ１の一端に接続されており、抵抗Ｒ１の他端はＦＥＴ１のソースに接続されている。なお、鉛電池１０の負極出力端子はグランド（ＧＮＤ）を構成しており、電池状態判定部３０（後述する電源回路の負極入力側）に接続されている。
【００１８】
電池状態判定部３０は、ＦＥＴ１を介して鉛電池１０から供給される電源を５Ｖ電源に変換する電源回路、差動増幅回路およびＡ／Ｄコンバータで構成され鉛電池１０の電圧を検出するために入力側がＦＥＴ１のドレインおよび鉛電池１０の負極出力端子に接続された電圧検出回路、上述した温度センサに接続され鉛電池１０の温度を検出するためのＡ／Ｄコンバータ、中央演算処理装置として機能するＣＰＵ、電池状態検知装置１の基本制御プログラムおよびプログラムデータを格納したＲＯＭ、ＣＰＵのワークエリアとして機能するＲＡＭ、ダイオードＤ２のアノードに２値信号を出力するためのＤ／Ａコンバータ、ハイレベル信号を出力し上述した報知部および操作表示部を作動させるためのＤ／Ａコンバータ（不図示）、不揮発性のＥＥＰＲＯＭ等を有して構成されている。
【００１９】
操作表示部２を構成するＬＥＤは、鉛電池１０の電池状態（ＳＯＣ、ＳＯＨ）を示す４つのＬＥＤで構成されている。報知部は、回路基板とブザーを実装した副回路基板とで構成されており、図１に示すように、副回路基板のブザーが実装された回路基板上の位置にはブザー放音孔６が形成されている。
【００２０】
なお、電池状態判定部３０のＣＰＵは、作動開始後、鉛電池１０の電圧および温度を所定時間毎に（電圧を１ｍｓｅｃ間隔、温度を１ｓｅｃ間隔で）それぞれサンプリングし、サンプリング結果をＲＡＭに格納する。鉛電池１０の電圧測定には、例えば、５ｍｓｅｃ間隔程度で測定するようにしてもよいが、電圧測定の時間間隔を狭めることにより、エンジン始動の判定精度を高めることができる。
【００２１】
（動作）
次に、本実施形態の鉛電池１０に収容された電池状態検知装置１の動作について説明する。
【００２２】
エンジン始動時には、イグニッションスイッチをＯＦＦ位置からＯＮ／ＡＣＣ位置に位置付け、さらに、ＳＴＡＲＴ位置に位置付けることによりセルモータ（スタータ）を作動させる。図４は、ガソリンエンジン車やディーゼルエンジン車のエンジン始動時の一般的な電圧波形を示したものである。図４に示すように、エンジン始動時に鉛電池は、数百ｍＶ程度の電圧降下（Ａ部参照）の後、極めて短い時間で急激に低下し最小電圧値Ｖｓｔを観測後に、電圧が上昇し車両のレギュレータ充電制御電圧で鉛電池の電圧がほぼ安定する。
【００２３】
これを踏まえ、スイッチ作動回路部２０は鉛電池１０に１００ｍＶ程度の電圧降下があったときに、ＦＥＴ１を一時的にオン状態とし、電池状態判定部３０に鉛電池１０からの作動電源を供給する。
【００２４】
すなわち、鉛電池１０に負荷（セルモータ）が接続される直前には暗電流による５０ｍＶ〜数百ｍＶ（例えば、３００ｍＶ）程度の電圧降下が生じ鉛電池１０の端子電圧は低下するが（図４のＡ部参照）、キャパシタＣ１の両端電圧はすぐに低下することはなく、しばらくの間は鉛電池１０の端子電圧より高い状態を保持している。このため、トランジスタＴｒ２のエミッタの電位がベースの電位より高い状態が生じて、トランジスタＴｒ２のベース、エミッタ間に電位差が生じ、トランジスタＴｒ２にベース電流が流れ、トランジスタＴｒ２がオン状態となる。これにより、鉛電池１０からダイオードＤ３、抵抗Ｒ７、Ｒ６、トランジスタＴｒ２のエミッタ、コレクタ間、ダイオードＤ１、抵抗Ｒ４、トランジスタＴｒ１のエミッタ、コレクタ間に電流が流れ、トランジスタＴｒ１がオン状態となる。この結果、鉛電池１０から抵抗Ｒ１、Ｒ２、トランジスタＴｒ１のエミッタ、コレクタ間に電流が流れ、抵抗Ｒ１の両端に電圧降下が生じる。この抵抗Ｒ１の電圧降下により、ＦＥＴ１のゲートがソースに対して負電位となるため、ＦＥＴ１がオン状態となる。これにより、電池状態判定部３０に鉛電池１０からの作動電源が供給される。
【００２５】
電池状態判定部３０に電源回路を介して鉛電池１０からの作動電源が供給され、ＲＯＭに格納されたプログラムおよびプログラムデータをＲＡＭに展開する等の初期設定処理後、電池状態判定部３０のＣＰＵ（以下、単にＣＰＵという。）は鉛電池１０の電圧を１ｍｓｅｃ毎に取り込んで（ＲＡＭに電圧値を格納し）、エンジン始動があったか否かの判定を行うエンジン始動判定ルーチンを実行する。
【００２６】
図３に示すように、このエンジン始動判定ルーチンでは、まず、ステップ１０２において、ＲＡＭに格納した電圧値について２５ｍｓｅｃ間の鉛電池１０の電圧降下が１．５Ｖ以上か否かを判断する。この２５ｍｓｅｃという値は、エンジン始動時の最低電圧値Ｖｓｔを観測する直前の電圧低下が短時間に急激に起こるということを踏まえた値であり（図４も参照）、１〜１００ｍｓｅｃ程度で良いと考えられる。
【００２７】
ステップ１０２で肯定判断のときは、ステップ１０４において、鉛電池１０の電圧が１分以内に車両の充電制御電圧に達しか否か（１３．５Ｖ以上か否か）を判断する。この１３．５Ｖという値は車両の充電制御電圧を見越して、その値より若干低めの値に設定したものである。肯定判断のときは、次のステップ１１０で、Ｄ／Ａコンバータを介してダイオードＤ２にハイレベル信号Ｖｏｎを継続して出力しエンジン始動判定ルーチンを終了する。これにより、ＣＰＵは、鉛電池１０が車載された後の最初のエンジン始動であることを判断でき、鉛電池１０からの電源供給を継続して受ける。すなわち、ハイレベル信号ＶｏｎがダイオードＤ２と抵抗Ｒ４とを介してトランジスタＴｒ１のベースに与えられるため、トランジスタＴｒ１がオン状態に保持される。従って、鉛電池１０が車載され最初のエンジン始動があった後は、ＦＥＴ１のゲートに電流が流れ続け、ＦＥＴ１がオン状態に保持されるので、電池状態判定部３０の作動が継続される。
【００２８】
放電気味の鉛電池、または、放電気味の鉛電池で車両側のライトやエアコン等の補機を使用して鉛電池に負荷が掛かった状態でエンジン始動した場合は、極めて短い時間で急激に電圧が低下した後、充電制御電圧が図４に示した充電制御電圧ほど上がらない場合がある（図５参照）。つまり、エンジン始動があっても、１３．５Ｖ以上とならない場合が想定される。このため、ステップ１０４で否定判断された場合には、１分以内に１３．５Ｖ＞鉛電池１０の電圧≧１２．０Ｖ（鉛電池１０の公称電圧）かつ、この電圧領域における１００ｍ秒間の揺れ幅（電圧Ｍａｘ値−電圧Ｍｉｎ値）≧１００ｍＶ以上の状態が１秒以上継続したか否かを判断する。この電圧の揺れは車両での充電状態では特徴的な現象であり、車載されたかの指標には好都合な電圧挙動である。肯定判断のときはステップ１１０に進む。
【００２９】
一方、ステップ１０２で否定判断されたとき、または、ステップ１０６で否定判断されたときは、エンジン始動ではなく鉛電池１０から補機への電力供給のため、ステップ１０８で、Ｄ／Ａコンバータを介してダイオードＤ２に対してローレベル信号を出力しエンジン始動判定ルーチンを終了する。この間、キャパシタＣ１は鉛電池１０の端子電圧より高い状態を保持しているが、キャパシタＣ１の両端電圧は徐々に低下し、ＦＥＴ１をオン状態に維持し続けることはできなくなる。つまり、鉛電池１０に１００ｍＶ程度の電圧降下があったときに、その電圧降下がエンジン始動によるものかをＣＰＵに判断させるため、一時的にＦＥＴ１をオン状態とするが、エンジン始動でないと判断したときには、電池状態判定部３０に鉛電池１０からの電源を供給する必要がない（鉛電池１０の放電させる）ので、ＦＥＴ１をオフ状態とする。
【００３０】
鉛電池１０から電池状態判定部３０に電源が供給されると、電池状態判定部３０は鉛電池１０の電池状態（ＳＯＣ、ＳＯＨ）の判定を行う。このような電池状態を判定方法は公知の技術を用いることができる。本発明はこの技術との関係が薄いため、本実施形態の電池状態検知装置１での状態判定動作については簡単に説明する。
【００３１】
ＣＰＵは、１ｍｓ毎に、鉛電池１０の電圧を取り込み、取り込んだ電圧値に基づいて鉛電池１０のＳＯＣ、ＳＯＨを決定（算出）する。また、ＣＰＵは、１秒毎に、鉛電池１０の温度測定を行い、取り込んだ温度値により、例えば、室温（２５°Ｃ）におけるＳＯＣ、ＳＯＨに温度補正する。
【００３２】
ＳＯＣを決定するのには、開回路電圧（ＯＣＶ）を測定するのが簡単である。このためには、各ＳＯＣの鉛電池についてＯＣＶのデータを予め取得し、ＯＣＶとＳＯＣとの関係式ないしマップを作成しておき、測定したＯＣＶから関係式ないしマップを利用してＳＯＣを逆算する。
【００３３】
また、ＳＯＨは鉛電池の内部抵抗値と強い相関がある。鉛電池の内部抵抗測定にはいわゆる直流法を用いることができる。直流法は鉛電池のＯＣＶおよびエンジン始動時の最低電圧値をそれぞれ測定し、これらの差から内部抵抗値を求める方法である。内部抵抗値からＳＯＨを決定するためには、ＳＯＣを決定する場合と同様に、各ＳＯＨの鉛電池について内部抵抗値のデータを予め取得しておき、関係式ないしマップを利用して、測定された電池の内部抵抗値からＳＯＨを計算するようにすればよい。
【００３４】
そして、鉛電池１０の電池状態に応じて、操作表示部のＬＥＤを点灯ないし点滅させたり、鉛電池１０のある程度劣化が進んだとき、または交換が必要なときに、車両停止後、報知部のブザーを作動させ、ドライバに電池状態を報知する。
【００３５】
ところで、本実施形態の電池状態検知装置１は操作表示部２にプッシュスイッチ３を有している（図１、２参照）。以上では、鉛電池１０が車載され最初のエンジン始動時にＦＥＴ１をオン状態とすることを説明したが、鉛電池１０に一度も負荷が接続されていない状態でも、すなわち、鉛電池１０が電池販売店の店頭に並べられた状態にあるときでも、プッシュスイッチ３を押下することにより、ＦＥＴ１を一時的にオン状態とすることができる。
【００３６】
すなわち、プッシュスイッチ３が押下されると、鉛電池１０から抵抗Ｒ１、Ｒ２、プッシュスイッチ３に電流が流れ、この電流によって抵抗Ｒ１の両端に生じる電圧降下によりＦＥＴ１がオン状態となる。このとき、例えば、鉛電池１０の電圧（ＯＣＶ）を測定してＳＯＣを算出した後、鉛電池１０のＳＯＣの状態をＬＥＤの点灯ないし点滅で表示すれば、電池販売店での鉛電池１０の鮮度管理を行うことができる。
【００３７】
（作用等）
次に、本実施形態の鉛電池１０に収容された電池状態検知装置１の作用等について説明する。
【００３８】
鉛電池１０から電池状態検知装置１が電源の供給を受ける状態では（鉛電池１０が車載され最初のエンジン始動があった後は）、約５〜１０ｍＡの電流が常時流れる。また、電源が入り電池状態検知装置１が起動し始めたときから常時ＬＥＤを１つ以上点灯ないし点滅させるケースを考えると平均約１０ｍＡ〜２０ｍＡの電流が流れる。前者で３．６〜７．２（Ａｈ／月）、後者で７．２Ａｈ〜１４．４（Ａｈ／月）の鉛電池１０の容量を消費する。１４．４Ａｈという値は、例えば、型式３８Ｂ１９の鉛電池定格５ｈ率容量２７Ａｈの約半分にあたり、かなり大きな放電量である。電池状態検知装置１は電池販売店の店頭にある状態で（車載され最初のエンジン始動がなされるまでは）、原則として電池状態判定部３０は作動しないので、店頭での鉛電池１０の不要な放電や劣化を抑えることができる。なお、車載後は車両のオルタネータで鉛電池１０が充電されるので、このような問題は生じない。
【００３９】
また、電池状態検知装置１では、１００ｍＶ程度の電圧降下があったときにスイッチ作動回路３０のＦＥＴ１が一時的にオン状態となり電池状態判定部３０を起動させる。電池状態判定部３０のＣＰＵは２段階でエンジン始動を判定している。すなわち、（１）２５ｍｓｅｃ間に鉛電池１０が１．５Ｖ以上の電圧降下があるか（ステップ１０２）、（２−Ａ）その後、１分以内に鉛電池１０の電圧が車両の充電制御電圧（本実施形態では１３．５Ｖ）に到達したか（ステップ１０４）、または、（２−Ｂ）その後、１分以内に車両の充電制御電圧（本実施形態では１３．５Ｖ）＞鉛電池１０の電圧≧鉛電池１０の公称電圧（本実施形態では１２．０Ｖ）、かつ、該電圧領域における鉛電池１０の最大電圧と最小電圧との差が１００ｍＶ以上の状態が１秒以上継続したかを判定している（ステップ１０６）。電池状態検知装置１は、２段階でエンジン始動を直接判定しているので、鉛電池１０が車載され最初のエンジン始動があったかを正確に判定することができる。また、２段階目において鉛電池１０が放電気味の状態（上記２−Ｂの状態）でもエンジン始動の判定を誤ることなく行うことができる。従って、エンジン始動に相当する鉛電池の電圧降下を回路的に判断する特許文献２の技術に比べ、エンジン始動についての判定信頼性を高めることができる。
【００４０】
なお、本実施形態では、スイッチにＦＥＴを例示したが、漏れ電流の少ないバイポーラトランジスタを用いるようにしてもよい。また、本実施形態では、電池状態判定部３０の起動後、ハイレベル信号Ｖｏｎを常時出力する例を示したが、ダイオードＤ２に代えてサイリスタ等のラッチ状態を確保可能な素子を用いるようにしてもよい。さらに、本実施形態では、１００ｍＶ程度の電圧降下でスイッチ（ＦＥＴ１）をオン状態とするスイッチ作動回路２０の一例を示したが、本発明は例示した回路に制限されるものでないことは言うまでもない。
【００４１】
また、本実施形態では、電源回路やＥＥＰＲＯＭを有する電池状態判定部３０を例示したが、本発明はこれに限るものではない。電源回路は電池状態判定部３０外に設けてもよく、さらに、例示したＥＥＰＲＯＭは本発明を実施するためには必ずしも必要ではない。
【産業上の利用可能性】
【００４２】
本発明は最初のエンジン始動までの鉛電池の電力消費を確実に抑えることができる電池状態検知装置および該電池状態検知装置を備えた自動車用鉛電池を提供するものであるため、電池状態検知装置ないし自動車用鉛電池の製造、販売に寄与するので、産業上の利用可能性を有する。
【図面の簡単な説明】
【００４３】
【図１】本発明が適用可能な本実施形態の鉛電池の外観斜視図である。
【図２】実施形態の鉛電池に収容された電池状態検知装置の、ブロック図を一部に含む回路図である。
【図３】電池状態検知装置の電池状態判定部のＣＰＵが実行するエンジン始動判定ルーチンのフローチャートである。
【図４】典型的なエンジン始動時の鉛電池の電圧波形を示すグラフである。
【図５】放電傾向の鉛電池のエンジン始動時の電圧波形を示すグラフである。
【符号の説明】
【００４４】
１  電池状態検知装置
１０  鉛電池（自動車用鉛電池）
２０  スイッチ作動回路（スイッチ作動手段、スイッチ制御手段の一部）
３０  電池状態判定部（電圧測定手段、スイッチ制御手段の一部）
ＦＥＴ１（スイッチ）
【図１】
2008290598.tif 000003
【図２】
2008290598.tif 000004
【図３】
2008290598.tif 000005
【図４】
2008290598.tif 000006
【図５】
2008290598.tif 000007